(57)【要約】      （修正有）【課題】試料の被照射面の確認や光源の交換作業を容易にした耐候性試験機を提供する。【解決手段】耐候性試験機１は、試験槽内に１または複数の光源５ａ〜５ｈと、光源に対向して試料４を配置するための試料取付枠６を有し、試験槽３を試験槽扉２によって開閉する際に、試料取付枠６が試験槽扉２に連動して移動する連動状態と、試料取付枠６が移動せず、試験槽扉２のみが移動する非連動状態とを切替可能とするロック機構１２を備えている。【選択図】図２
0003188008.tif 000002
【実用新案登録請求の範囲】
【請求項１】
試験槽内に１または複数の光源と、前記光源に対向して試料を配置するための試料取付枠を有し、前記試験槽を試験槽扉によって開閉する際に、前記試料取付枠が前記試験槽扉に連動して移動する連動状態と、前記試料取付枠が移動せず、前記試験槽扉のみが移動する非連動状態とを切替可能とするロック機構を備えた耐候性試験機。
【考案の詳細な説明】
【技術分野】
【０００１】
本考案は、光源からの放射光を促進的環境条件下で試料に照射することにより耐候性試験を行う耐候性試験機、特に試料を平面状に載置する耐候性試験機の扉部構造に関する。
【背景技術】
【０００２】
耐候性試験機は、太陽に代わる光源（人工光源）からの放射光を促進的環境条件下（加速試験環境下）で各種試料に照射することにより、その試料（材料）の劣化度合い等を評価・判定する（耐候性試験を行う）ための装置である（例えば、特許文献１参照）。
【０００３】
このような耐候性試験機では一般に、温度および湿度等の調節が可能な試験槽の中に、光源として、例えば、キセノンアークランプ、サンシャインカーボンアークランプ、紫外線カーボンアークランプ、メタルハライドランプまたは蛍光ランプ等が配置されている。試験槽内に設けられた試料取付枠に、各種試料が取り付けられた試料ホルダを載置する。そして、上記したような促進的環境条件の下、数十時間から数千時間程度の試験が連続して行われるようになっている。
【先行技術文献】
【特許文献】
【０００４】
【特許文献１】特許第３１９５０７８号公報
【考案の概要】
【考案が解決しようとする課題】
【０００５】
ところで、このような耐候性試験機では一般に、試験槽内部に設置された光源に対向して試料を配置するため被照射面が試験槽内部を向いている。また、照度の均一性を確保するために、通常、試料取付枠は試料（試料の数が少ないときはダミーの試料）で満たされているため被照射面を確認することはできない。そのため耐候性試験中に、試料の被照射面の劣化状態を確認する際には、試料ホルダを一個一個取り外す必要がある。また光源の交換をする際にも試料ホルダを全て取り外す必要があり、手間を要していた。
【０００６】
本考案はかかる問題点に鑑みてなされたもので、その目的は、試験槽扉の開閉時に、試料取付枠を試験槽扉の移動と連動／非連動の切り替えをすることで、試料の被照射面の確認や光源の交換作業を容易にした耐候性試験機を提供することにある。
【課題を解決するための手段】
【０００７】
本考案の耐候性試験機は、試験槽内に１または複数の光源と、この光源に対向して試料を配置するための試料取付枠を有し、前記試験槽を試験槽扉によって開閉する際に、前記試料取付枠が前記試験槽扉に連動して移動する連動状態と、前記試料取付枠が移動せず、前記試験槽扉のみが移動する非連動状態とを切替可能とするロック機構を備えたものである。
【考案の効果】
【０００８】
本考案の耐候性試験機によれば、試験槽扉の開閉時に、試料取付枠を試験槽扉の移動と連動／非連動の切り替えをすることにより、試料取付枠を試験槽扉に連動させて移動することで、非連動時に試験槽内側を向いて配置されていた試料が移動するため、試料の被照射面の確認および光源の交換作業を容易に行うことが可能となる。また試料取付枠を試験槽扉に連動させず、試験槽扉単体で開閉することで、試料の非照射面の確認や試料の取り付け、取り外しをすることができる。さらに上記した切り替えを目的に応じて簡便に行うことができる。
【図面の簡単な説明】
【０００９】
【図１】本考案の一実施の形態に係る耐候性試験機の概略構成例を模式的に表す正面図である。
【図２】本考案の一実施の形態に係る耐候性試験機の概略構成例を模式的に表す側面図である。
【図３】本考案の一実施の形態に係る耐候性試験機の試験槽扉のロック機構を表す模式図である。
【図４Ａ】本考案の一実施の形態に係る耐候性試験機の試験槽扉を表す模式図である。
【図４Ｂ】本考案の一実施の形態に係る耐候性試験機の試験槽扉を表す他の模式図である。
【図４Ｃ】本考案の一実施の形態に係る耐候性試験機の試験槽扉を表す他の模式図である。
【図５】本考案の変形例の形態に係る耐候性試験機の概略構成例を表す模式図である。
【考案を実施するための形態】
【００１０】
以下、本考案の実施の形態について、図面を参照して詳細に説明する。
【００１１】
図１および２は、本考案の一実施の形態に係る耐候性試験機（耐候性試験機１）の概略構成例を模式的に表したものである。
【００１２】
耐候性試験機１は、試験槽３内に配置された各種の材料からなる試料（試験片）４について、促進的環境条件下での耐候性試験を行うものである。この耐候性試験機１は、温度および湿度等の調節が可能な試験槽３内に、光源５ａ〜５ｈ、試料取付枠６、複数の試料ホルダ７、受光器８およびブラックパネルセンサ９を備えている。耐候性試験機１はまた、図１に示したように、表示操作部１１および図示しない制御部を備えている。
【００１３】
光源５ａ〜５ｈは、試験槽３内に、発光部がＸ軸方向にそれぞれ平行となるように配置されている。光源５ａ〜５ｈは、試験槽３内において周囲に放射光Ｌoutを放射するものである。この例では光源として蛍光ランプを用いているが、これに限定されず、耐候性試験機に一般的に用いられる光源（キセノンアークランプ、メタルハライドランプなど）を使用してもよい。この例では光源５ａ〜５ｈは８本で構成されているが、この本数に限らず１本ないし複数本としてもよい。
【００１４】
試料取付枠６は、複数の試料ホルダ７を配置し、試料４の被照射面が光源５ａ〜５ｈに対向するように配置された枠である。試料取付枠６は、図２に示したように、試験槽３の正面及び背面にそれぞれ配置され、それらがハの字型となり試験槽３の壁面の一部を構成している。
【００１５】
試料ホルダ７は、図１に示したように、試料４を１または複数取り付けることができ、試料取付枠６に隙間なく配置されている。これらは試料取付枠６に対して着脱可能となっている。また、試料ホルダ７には同様に受光器８、ブラックパネルセンサ９が配置されている。
【００１６】
受光器８は、光源５ａ〜５ｈから放射された放射光Ｌoutの試料面上の放射照度を測定するためのもの（照度計）であり、試料ホルダ７上に取り付けられている。なお、この受光器８により得られた受光データ（受光値）は、制御部へ伝送されるようになっている。
【００１７】
ブラックパネルセンサ９は、試料４の温度情報を検出するための温度センサであり、試料ホルダ７上に取り付けられている。この温度情報としては、放射光Ｌoutの光エネルギーが温度化された成分と、試験槽３内の環境温度成分とを含んでいる。このようなブラックパネルセンサ９は、例えば白金抵抗体、サーミスタまたは熱電対等の感熱体を含んで構成されている。
【００１８】
制御部は、受光器８により得られた受光データに基づいて制御信号を生成し、この制御信号を用いて光源５ａ〜５ｈの放射強度（放射光Ｌoutの照度）を制御するものである。具体的には、受光データの値（放射照度）が予め設定された試験条件値と略一致（望ましくは一致）するように、光源５ａ〜５ｈの放電電力を制御している。これにより、試料ホルダ７上の試料４（試料面）への放射照度が制御されるようになっている。なお、この際の放電電力の制御手法としては、例えばＰＩＤ（Proportional Integral Derivative）制御等が挙げられる。
【００１９】
表示操作部１１はタッチパネル液晶などの表示機能と操作機能を有するものであり、受光器８やブラックパネルセンサ９の情報を表示する。また、試験条件の設定、試験開始や終了などの操作を行う。
【００２０】
図３はロック機構１２の模式図であり、図１のＩＩ−ＩＩ線に沿った矢視断面構成（Ｘ−Ｚ断面構成）例である。
【００２１】
試験槽扉２は、図１に示したように、外部から試験槽３内への各種部品（試料ホルダ７、光源５ａ〜５ｈなど）を設置および確認し試験槽３を密閉するために設けられている。試験槽扉２はさらにロック機構１２を備え、図３に示したように試験槽扉２に備えられた切り替えつまみ１３を試料取付枠６の鉤部１４に嵌め合わせることによって、試料取付枠６を試験槽扉２に固定／非固定の切り替えをすることができる。
【００２２】
図４Ａ〜Ｃは、図２中の試験槽扉２の開閉を模式的に表したものである。
【００２３】
図４Ａは、試験槽扉２及び試料取付枠６が双方とも閉じた状態を表している。
【００２４】
図４Ｂはロック機構１２が非固定時に、試験槽扉２が開いた状態を表している。ロック機構１２が非固定時には、試料取付枠６が試験槽扉２の移動と連動しない。すなわち試験槽扉２を開けた時、試料ホルダ７に取り付けられた試料４の非照射面（被照射面に対する裏面）を確認することができる。さらに試料ホルダ７を個々に取り外すこともできる。
【００２５】
図４Ｃはロック機構１２が固定時に、試験槽扉２が開いた状態を表している。ロック機構１２が固定時には、試料取付枠６が試験槽扉２の移動と連動する。すなわち試験槽扉２を開けた時、試料取付枠６も移動し、非連動時に試験槽内側を向いて配置されていた試料が移動するため、容易に試料４の被照射面の確認ができる。さらには光源５ａ〜５ｈの交換作業が容易になる。
【００２６】
続いて、上記実施の形態の変形例について説明する。なお実施の形態における構成要素と同一のものは同一の符号を付し、適宜説明を省略する。
【００２７】
変形例では、試験槽扉２および試料取付枠６の回転軸部にストッパー１５を設けることで、ロック機構１２が固定時には、試験槽扉２を開いた際に、試料４が水平状態で保持される。
【００２８】
このようにして本変形例ではロック機構１２が固定時に試験槽扉２を開けると、試料４が水平状態で保持されるので、試料４を取り外すことなく、例えば手持ち式の測色計を用いて試料の測色を容易に行うことができる。
【符号の説明】
【００２９】
１…耐候性試験機、２…試験槽扉、３…試験槽、４…試料、５ａ〜５ｈ…光源、６…試料取付枠、７…試料ホルダ、８…受光器、９…ブラックパネルセンサ、１１…表示操作部、１２…ロック機構、１３…切り替えつまみ、１４…鉤部、１５…ストッパー。
【図１】
0003188008.tif 000003
【図２】
0003188008.tif 000004
【図３】
0003188008.tif 000005
【図４Ａ】
0003188008.tif 000006
【図４Ｂ】
0003188008.tif 000007
【図４Ｃ】
0003188008.tif 000008
【図５】
0003188008.tif 000009